(57)【要約】【課題】従来のピックアップカートリッジでは、更なる音質向上は難しいという問題がある。【解決手段】本発明のピックアップカートリッジは、トーンアームに取り付けられるカートリッジベース部材１０と、カートリッジベース部材１０がトーンアームに取り付けられた状態でアナログレコードに面する面に設けられ、アナログレコードから振動を拾うピックアップ素子１２と、を有し、カートリッジベース部材１０が、ピックアップ素子１２が拾った振動を伝達する音導管４１と、音導管４１のうちピックアップ素子１２が設けられる側に設けられる第１の開口部を塞ぎ、かつ、ピックアップ素子１２を支持して前記ピックアップ素子１２が拾った振動を音導管４１に伝達する弾性部材１３と、音導管４１のうちピックアップ素子１２が設けられる側とは反対に設けられる第２の開口部を塞ぐように設けられるマイク１４と、を有する。【選択図】図３
2019125407.tif 000002
【特許請求の範囲】
【請求項１】
トーンアームに取り付けられるカートリッジベース部材と、
前記カートリッジベース部材が前記トーンアームに取り付けられた状態でアナログレコードに面する面に設けられ、前記アナログレコードから振動を拾うピックアップ素子と、を有し、
前記カートリッジベース部材が、
前記ピックアップ素子が拾った振動を伝達する音導管と、
前記音導管のうち前記ピックアップ素子が設けられる側に設けられる第１の開口部を塞ぎ、かつ、前記ピックアップ素子を支持して前記ピックアップ素子が拾った振動を前記音導管に伝達する弾性部材と、
前記音導管のうち前記ピックアップ素子が設けられる側とは反対に設けられる第２の開口部を塞ぐように設けられるマイクと、を有するピックアップカートリッジ。
【請求項２】
前記音導管の前記第２の開口部の面積は、前記マイクの受音面の面積よりも小さい請求項１に記載のピックアップカートリッジ。
【請求項３】
前記マイクは、コンデンサマイクである請求項１又は２に記載のピックアップカートリッジ。
【請求項４】
前記弾性部材に支持されると共に前記ピックアップ素子を支持し、前記音導管の筒の延在方向の中心線に対して垂直な面を有するピックアップ支持部材をさらに有し、
前記音導管及び前記マイクは、前記カートリッジベース部材を前記ピックアップ素子の突出方向から見たときに前記音導管の延在方向の中心線が前記ピックアップ素子の中心点で交わるように左右対称な位置に２つ設けられる請求項１乃至３のいずれか１項に記載のピックアップカートリッジ。
【請求項５】
前記カートリッジベース部材は、
前記ピックアップ素子のうち、前記アナログレコードに接する側のスタイラスとは反対側の端部に設けられる接地端を支持する接地端支持部を有し、
前記弾性部材は、前記ピックアップ素子のうち前記スタイラスと前記接地端との間の部分を支持し、
前記ピックアップ素子は、前記接地端支持部に接する前記接地端を中心点として振動する請求項１乃至４のいずれか１項に記載のピックアップカートリッジ。
【発明の詳細な説明】
【技術分野】
【０００１】
本発明はピックアップカートリッジに関し、例えば、アナログレコードから音声信号を読み取るピックアップカートリッジに関する。
【背景技術】
【０００２】
アナログレコードの再生では、ターンテーブルに乗せられたアナログレコードに刻まれた音声振動をピックアップカートリッジを用いて拾う。このピップアップカートリッジは、トーンアームに取り付けられ、ピックアップカートリッジで拾われた音声振動はカンチレバーを介して伝達される。そして、カンチレバーに取り付けられた発電素子により音声振動が電気振動に変換され、オーディオ機器で音声が再生される。
【０００３】
ここで、ピックアップカートリッジの種類について説明する。ピックアップカートリッジには、速度比例型と振幅比例型がある。
【０００４】
速度比例型のピックアップカートリッジは、コイルに振動を伝え、コイルの速度変位を電気信号に変換するムービングコイル式と、磁石に振動を伝え、磁石の速度変位を電気信号に変換するムービングマグネット式がある。この速度比例型のピックアップカートリッジでは、カンチレバーにコイル又はマグネットを取り付け、磁気回路のギャップ内に収める必要があり、形状に制約がある。
【０００５】
振幅比例型のピックアップカートリッジは、ロッシェル塩を使って振動を検出するクリスタルカートリッジである。この振幅比例型のピックアップカートリッジでは、ロッシェル塩に与える振動の大きさを電気信号に変換する。振幅比例型のピックアップカートリッジは、構造がシンプルであるため、量産に向いてはいるものの、周波数特性が不十分である問題がある。
【０００６】
上記説明より、高音質でアナログレコードの再生を行う場合、速度比例型のピックアップカートリッジが向いていることが分かる。しかしながら、速度比例型では、コイル又は磁石等の重い部材をカンチレバーに取り付ける必要があるため、カンチレバーの重量が増加し、カンチレバーの振動減衰率の制御が難しく、音質が劣化する問題がある。そこで、特許文献１にカンチレバーの振動を抑制する技術が開示されている。
【０００７】
特許文献１に記載の技術では、一端側にレコード盤Ｒの音みぞをトレースする再生針を有し、他端側に音声信号出力用電気変換器に作用する振動子を一体に有するカンチレバーを含み、カンチレバーの他端側が振動子とともにダンパー材を介してカートリッジボディに振動可能に支持されているピックアップカートリッジにおいて、ダンパー材として、印加電圧によって粘度が変化する電気粘性流体（ＥＲ流体）を用いる。
【先行技術文献】
【特許文献】
【０００８】
【特許文献１】特開２０１０−１５７２９９号公報
【発明の概要】
【発明が解決しようとする課題】
【０００９】
しかしながら、特許文献１に記載の技術を用いたとしても、従来のピックアップ方法を用いる基本的構造に変わりはなく、音質向上の度合いには限界が有り、更なる音質向上は難しいという問題がある。
【００１０】
本発明は、上記事情に鑑みてなされたものであり、アナログレコードの再生における音質を向上させることを目的とするものである。
【課題を解決するための手段】
【００１１】
本発明のピックアップカートリッジの一態様は、トーンアームに取り付けられるカートリッジベース部材と、前記カートリッジベース部材が前記トーンアームに取り付けられた状態でアナログレコードに面する面に設けられ、前記アナログレコードから振動を拾うピックアップ素子と、を有し、前記カートリッジベース部材が、前記ピックアップ素子が拾った振動を伝達する音導管と、前記音導管のうち前記ピックアップ素子が設けられる側に設けられる第１の開口部を塞ぎ、かつ、前記ピックアップ素子を支持して前記ピックアップ素子が拾った振動を前記音導管に伝達する弾性部材と、前記音導管のうち前記ピックアップ素子が設けられる側とは反対に設けられる第２の開口部を塞ぐように設けられるマイクと、を有する。
【００１２】
本発明にかかるピックアップカートリッジは、スタイラスで拾われた振動をマイクにより電気信号に変換するため、トーンアームの振動に関係なく振動を電気信号に変換できる。
【発明の効果】
【００１３】
本発明のピックアップカートリッジは、アナログレコードの再生における音質を向上させることができる。
【図面の簡単な説明】
【００１４】
【図１】実施の形態１にかかるピックアップカートリッジの外観を説明する図である。
【図２】実施の形態１にかかるピックアップカートリッジのピックアップ素子の取り付け部分の構造を説明する図である。
【図３】実施の形態１にかかるピックアップカートリッジの断面図である。
【図４】実施の形態１にかかるピックアップカートリッジの音導管とマイクの関係を説明する図である。
【図５】実施の形態１にかかるピックアップカートリッジにおいてレコードから音振動をピックアップした際の音振動の伝達方向を説明する図である。
【図６】実施の形態１にかかるカートリッジの端子の割り当てを説明する図である。
【図７】実施の形態１にかかるピックアップカートリッジの後段回路を説明する図である。
【発明を実施するための形態】
【００１５】
実施の形態１
以下、図面を参照して本発明の実施の形態について説明する。説明の明確化のため、以下の記載及び図面は、適宜、省略、及び簡略化がなされている。各図面において、同一の要素には同一の符号が付されており、必要に応じて重複説明は省略されている。
【００１６】
まず、図１に実施の形態１にかかるピックアップカートリッジ１の外観を説明する図を示す。図１に示すように、実施の形態１にかかるピックアップカートリッジ１は、カートリッジベース部材１０に、端子支持部材１１、ピックアップ素子１２、弾性部材１３、マイク１４、配線１５、カートリッジ端子１６が取り付けられる。また、カートリッジベース部材１０は、アナログレコードを回転させるターンテーブルに設けられるトーンアーム（不図示）に取り付けられる。図１では、ピックアップカートリッジ１を右側面方向から見たものであるため、マイク１４を１つと、配線１５とカートリッジ端子１６をそれぞれ２つ示したが、マイク１４、配線１５、カートリッジ端子１６は、左側面側にも設けられており、ピックアップカートリッジ１はマイク１４を２つ、配線１５を４つ、カートリッジ端子１６を４つ有する。
【００１７】
端子支持部材１１は、例えば、樹脂部材の絶縁性の部材であり、カートリッジ端子１６を支持するものである。また、カートリッジ端子１６は、配線１５に接続され、後段回路への信号伝達経路の一部を構成するものである。
【００１８】
実施の形態１にかかるピックアップカートリッジ１が取り付けられたターンテーブルでは、トーンアームはピックアップカートリッジ１を支える機能が主機能となる。一方、実施の形態１にかかるピックアップカートリッジ１は、ピックアップ素子１２によりアナログレコードから拾った音振動をマイク１４により電気信号に変換して配線１５、カートリッジ端子１６を用いて後段に設けられる変換回路及びアンプ等の電気信号処理回路で再生する。ここで、マイク１４としては、例えばコンデンサマイク等の受音面の微小な変位量を電気信号に変換するものが好ましい。また、ピックアップカートリッジ１の後段に設けられる電気信号処理回路には、マイク１４からの音声信号を増幅するマイクアンプ等が含まれていても良い。なお、マイク１４に代えて圧電素子をセンサーとして用いることも出来る。
【００１９】
そこで、実施の形態１にかかるピックアップカートリッジ１の詳細な構成について、以下で説明する。図１に示すように、実施の形態１にかかるピックアップカートリッジ１では、ピックアップ素子１２が、カートリッジベース部材１０がカートリッジ部材に取り付けられた状態でアナログレコードに面する面に設けられる。そして、ピックアップ素子１２が、アナログレコードから振動を拾う。
【００２０】
そこで、実施の形態１にかかるピックアップカートリッジ１におけるピックアップ素子１２の支持機構について図２を参照して説明する。図２は、実施の形態１にかかるピックアップカートリッジのピックアップ素子１２の取り付け部分の構造を説明する図である。
【００２１】
図２に示すように、ピックアップ素子１２は、スタイラス２１、カンチレバー２２、接地端２３を有する。スタイラス２１は、ピックアップ素子１２のうちアナログレコードに接する側の端部に設けられ、レコードの音溝に刻まれた凹凸に接する部分である。接地端２３は、アナログレコードに接する側のスタイラス２１とは反対側の端部である。そして、スタイラス２１と接地端２３とを繋ぐ棒状の部材がカンチレバー２２となる。また、ピックアップ素子１２は、弾性部材１３により支持されるピックアップ支持部材２４に差し込まれるようにしてカートリッジベース部材１０に取り付けられる。つまり、ピックアップ支持部材２４は、筒状の樹脂で成形された部材であり、中心部の空洞にピックアップ素子１２が差し込まれる。なお、完成状態においては、ピックアップ素子１２は、ピックアップ支持部材２４に接着され、一体に成形される。また、詳しくは上述するが、ピックアップカートリッジ１はステレオ再生に対応したピックアップカートリッジであり、ピックアップ支持部材２４を設けることで左右チャンネルの音振動の干渉を防止する。
【００２２】
また、図２に示すように、カートリッジベース部材１０は、接地支持部３１を有する。接地支持部３１は、ピックアップ素子１２の接地端２３を支持する。そして、弾性部材１３は、ピックアップ素子１２のうちスタイラス２１と接地端２３との間の部分（例えばカンチレバー２２）をピックアップ支持部材２４を介して支持する。これにより、ピックアップ素子１２は、接地支持部３１に接する接地端２３を中心点として振動する。
【００２３】
実施の形態１にかかるピックアップカートリッジ１では、ピックアップ素子１２の振動を弾性部材１３によりカートリッジベース部材１０内に設けられる音導管に導き、音導管を介して伝達された振動をマイク１４により電気信号に変換する。そこで、実施の形態１にかかるピックアップカートリッジ１の音導管の構造を図３を参照して説明する。
【００２４】
図３は、図１に示したＩＩＩ−ＩＩＩ線に沿った実施の形態１にかかるピックアップカートリッジの断面図である。図３に示すように、実施の形態１にかかるピックアップカートリッジ１では、カートリッジベース部材１０をスタイラス１２の突出方向から見たときにスタイラス１２の支持点に対して左右対称となる位置に２つの音導管（図３の音導管４１ａ、４１ｂ）と２つのマイク（図３のマイク１４ａ、１４ｂ）が設けられる。そして、音導管４１ａの筒の延在方向の中心線と、音導管４１ｂの筒の延在方向の中心線とは、カンチレバー２２の中心点で交わるように位置及び角度が調節される。また、カンチレバー２２の中心点を通る水平線と音導管４１ａの筒の中心線との角度θ及びカンチレバー２２の中心点を通る水平線と音導管４１ｂの筒の中心線との角度θは、共に４５°に設定される。音導管の角度及び位置は、レコードの音溝に刻まれた凹凸の振動をカンチレバー２２の左右に設けられたマイク１４ａ、１４ｂに導くために必要な位置関係である。なお、図３に示す例では、音導管とマイクとの組を２組示したが、モノラル再生を行う場合は、これは１組のみの構成であっても構わない。
【００２５】
音導管４１ａ、４１ｂは、ピックアップ素子１２が拾った振動を伝達する筒状の構造である。また、図３に示すように、弾性部材１３は、音導管４１ａ、４１ｂのうちピックアップ素子１２が設けられる側に設けられる第１の開口部を塞ぎ、かつ、ピックアップ素子１２を支持してスタイラスが拾った振動を音導管４１ａ、４１ｂに伝達する。
【００２６】
また、マイク１４ａは、音導管４１ａのうちスタイラス１２が設けられる側とは反対に設けられる第２の開口部を塞ぐように設けられる。マイク１４ｂは、音導管４１ｂのうちスタイラス１２が設けられる側とは反対に設けられる第２の開口部を塞ぐように設けられる。
【００２７】
ここで、弾性部材１３は、スタイラス１２の振動を音導管４１ａ、４１ｂに導くために弾性を有している必要があるが、その堅さは所定の堅さを有している必要がある。弾性部材１３としては、例えば、シリコンゴム等の所定の堅さを有する樹脂が好適である。
【００２８】
また、図３に示すように、ピックアップ支持部材２４は、弾性部材１３に支持されると共にピックアップ素子を支持する。また、ピックアップ支持部材２４が、音導管４１の筒の延在方向の中心線に対して垂直な面を有する。そして、音導管４１及びマイク１４は、カートリッジベース部材１０をピックアップ素子の突出方向から見たときに音導管４１の筒の延在方向の中心線がピックアップ素子の中心点で交わるように左右対称な位置に２つ設けられる。
【００２９】
また、音導管の第２の開口部の大きさとマイクの受音面との関係についても特徴の１つがあるため、図４を参照して、音導管の第２の開口部の面積と受音面の面積との関係について説明する。図４は、実施の形態１にかかるピックアップカートリッジの音導管とマイクの関係を説明する図である。なお、音導管４１ａ、４１ｂは同じ構造であり、マイク１４ａ、１４ｂも同じ構造であるため、音導管に付す符号を４１、マイクに付す符号を１４として、２つの音導管とマイクとの組の一方の構造についてのみ示した。
【００３０】
図４に示すように、実施の形態１にかかるピックアップカートリッジ１では、マイク１４の受音面の面積をＳ１、音導管４１の第２の開口部の面積をＳ２とした場合、Ｓ１＞Ｓ２となるように音導管４１の第２の開口部の面積が決定される。
【００３１】
また、図４に示すように、音導管４１は、第２の開口部の面積と、第１の開口部の面積とがほぼ同じになるように設定される。つまり、音導管４１は、太さが同じ管形状を有する。なお、第２の開口部の面積は、音導管４１が最も細くなる部分として考える事もできる。例えば、音導管４１が中間的な部分の直径が細くなるような形状を有する場合は第２の開口部の面積はその細くなった部分の管の断面積として考える事ができる。
【００３２】
また、図３、図４に示すように、実施の形態１にかかるピックアップカートリッジ１では、マイク１４と弾性部材１３により、音導管４１が密閉される構造となる。
【００３３】
ここで、実施の形態１にかかるピックアップカートリッジ１を用いてレコード再生を行う際の音振動の伝達の仕方、及び、音振動から生成された電気信号の伝達方法について説明する。そこで、図５に実施の形態１にかかるピックアップカートリッジ１においてレコードから音振動をピックアップした際の音振動の伝達方向を説明する図を示す。
【００３４】
図５に示すように、ステレオ対応のレコードでは、音溝の右壁と左壁が４５°の角度を持って設けられる。そして、音溝には、右壁に右チャンネルに対応する凹凸が刻まれ、左壁に左チャンネルに対応する凹凸が刻まれる。スタイラス２１は、音溝をなぞる際に音溝に刻まれた凹凸に応じた振動をカンチレバー２２に伝達する。そして、カンチレバー２２に伝達された音は、カンチレバー２２の中心点を通るカンチレバー２２の中心線から４５°の角度を有し、かつ、カンチレバー２２の中心点で交わる直線に沿った方向で左右に分配される。具体的には、右チャンネルの音はカンチレバー２２の左斜め上方向に伝達され、図３で示した音導管４１ａを介してマイク１４ａに伝えられる。また、左チャンネルの音はカンチレバー２２の右斜め上方向に伝達され、図３で示した音導管４１ｂを介してマイク１４ｂに伝えられる。
【００３５】
ここで、実施の形態１にかかるピックアップカートリッジ１から出力される電気信号では、左右チャンネルの音のうち一方が逆相信号となる。そこで、逆相となってしまう信号を変換回路を用いて反転させた後にマイクアンプに入力する。そこで、まずピックアップカートリッジ１に設けられるカートリッジ端子１６について説明する。図６に実施の形態１にかかるカートリッジの端子１６の割り当てを説明する図を示す。
【００３６】
図６に示すように、実施の形態１にかかるピックアップカートリッジ１は、カートリッジ端子１６として、左チャンネル正極端子Ｔ１、右チャンネル正極端子Ｔ２、負極端子Ｔ３、マイク電源端子Ｔ４を有する。左チャンネル正極端子Ｔ１は、マイク１４ｂから出力される左チャンネル音信号の取り出し端子である。右チャンネル正極端子Ｔ２は、マイク１４ａから出力される右チャンネル音信号の取り出し端子である。負極端子Ｔ３は、マイク１４ａ、１４ｂに共通に与えられるグランド電位の供給端子である。マイク電源端子Ｔ４は、マイク１４ａ、１４ｂに共通に与えられるマイク電源の供給端子である。
【００３７】
実施の形態１にかかるピックアップカートリッジ１では、これら端子にケーブルを接続して、後段の回路とのピックアップカートリッジ１との間の信号或いは電源の授受を行う。そこで、図７に実施の形態１にかかるピックアップカートリッジの後段回路を説明する図を示す。なお、後段回路は、マイク１４ａ、１４ｂから出力される音信号の信号処理をすると共にマイク１４ａ、１４ｂに電源を供給する回路でもある。
【００３８】
図７に示すように、ピックアップカートリッジ１の後段には、後段回路として変換回路とマイクアンプが接続される。なお、図示は省略しているが、マイクアンプの更に後段には、パワーアンプ、スピーカー等が接続される。なお、詳しくは後述するが、実施の形態１にかかるピックアップカートリッジ１では、流体による音振動の伝達を行うために、イコライザを用いなくても問題ない音質となるが、イコライザをパワーアンプの前段に配置してもよい。
【００３９】
実施の形態１にかかるピックアップカートリッジ１では、左右チャンネルのうち一方から出力される音信号が逆相の信号となる。そこで、ピックアップカートリッジ１とマイクアンプとの間に変換回路を設け、この変換回路によって左右チャンネルの信号が正相の信号となるように変換を行う。そこで、図７では、変換回路の回路図を示した。図７に示す例では、右チャンネル音信号が逆相信号となるため、変換回路は、右チャンネル音信号の位相を反転させる。
【００４０】
変換回路は、抵抗Ｒ１〜Ｒ６、コンデンサＣ１〜Ｃ４を有する。抵抗Ｒ１、Ｒ３、Ｒ４、Ｒ６は、例えば、５０ｋΩ程度の抵抗値を有する抵抗である。抵抗Ｒ２、Ｒ５は、例えば、２ｋΩ程度の抵抗値を有する抵抗である。コンデンサＣ１〜Ｃ４は、２．２μＦ程度の容量値を有するコンデンサである。なお、上記抵抗値及び容量値は一例であり、仕様により様々な値となる。
【００４１】
左チャンネル正極端子Ｔ１から出力される左チャンネル音信号は端子Ｌｃｈ＋から入力され、コンデンサＣ１を介してマイクアンプの左チャンネル正極入力信号となる。この左チャンネル正極入力信号は、端子Ｌｉｎ＋から出力される。コンデンサＣ１と端子Ｌｉｎ＋との間の配線と、マイク電源端子Ｔ４に接続されるマイク電源出力端子ＭｉｃＰＷＲとの間には抵抗Ｒ１が設けられる。また、コンデンサＣ１と端子Ｌｉｎ＋との間の配線にはファントム電源Ｐ＿ＰＷＲが供給される。
【００４２】
負極端子Ｔ３に与えられるグランド電位は、左チャンネル用のグランド端子Ｌｇｎｄと、右チャンネル用のグランド端子Ｒｇｎｄとの２つの端子から入力され、共通グランド端子ＣＭ−から出力される。左チャンネル用のグランド端子Ｌｇｎｄと共通グランド端子ＣＭ−とを結ぶ配線とマイク電源出力端子ＭｉｃＰＷＲとの間には抵抗Ｒ２が設けられる。右チャンネル用のグランド端子Ｒｇｎｄと共通グランド端子ＣＭ−とを結ぶ配線とマイク電源出力端子ＭｉｃＰＷＲとの間には抵抗Ｒ５が設けられる。
【００４３】
また、左チャンネル用のグランド端子Ｌｇｎｄと、共通グランド端子ＣＭ−とを接続する配線は途中で分岐し、その分岐点と左チャンネル負極入力信号の出力端子となる端子Ｌｉｎ−との間には、コンデンサＣ２が設けられる。そして、コンデンサＣ２と端子Ｌｉｎ−とを接続する配線と、マイク電源出力端子ＭｉｃＰＷＲとの間には抵抗Ｒ３が設けられる。また、コンデンサＣ１と端子Ｌｉｎ−との間の配線にはファントム電源Ｐ＿ＰＷＲが供給される。
【００４４】
また、右チャンネル用のグランド端子Ｒｇｎｄと、共通グランド端子ＣＭ−とを接続する配線は途中で分岐し、その分岐点と右チャンネル正極入力信号の出力端子となる端子Ｒｉｎ＋との間には、コンデンサＣ３が設けられる。そして、コンデンサＣ３と端子Ｒｉｎ−とを接続する配線と、マイク電源出力端子ＭｉｃＰＷＲとの間には抵抗Ｒ６が設けられる。また、コンデンサＣ３と端子Ｒｉｎ＋との間の配線にはファントム電源Ｐ＿ＰＷＲが供給される。
【００４５】
右チャンネル正極端子Ｔ２から出力される右チャンネル音信号は端子Ｒｃｈ＋から入力され、コンデンサＣ４を介してマイクアンプの右チャンネル負極入力信号となる。この右チャンネル負極入力信号は、端子Ｒｉｎ−から出力される。コンデンサＣ４と端子Ｒｉｎ−との間の配線と、マイク電源出力端子ＭｉｃＰＷＲとの間には抵抗Ｒ４が設けられる。また、コンデンサＣ４と端子Ｒｉｎ−との間の配線にはファントム電源Ｐ＿ＰＷＲが供給される。
【００４６】
上記説明より、実施の形態１にかかるピックアップカートリッジ１は、ピックアップ素子１２がアナログレコードから拾った振動を弾性部材１３とマイク１４とにより密閉された音導管４１を介してマイク１４に伝える。これにより、実施の形態１にかかるピックアップカートリッジ１では、トーンアーム及びピックアップカートリッジの重さ及び他の振動に起因するノイズが重畳されることなくピックアップ素子１２の振動がマイク１４に伝達されて電気信号に変換される。つまり、実施の形態１にかかるピックアップカートリッジ１では、発電素子としてマイク１４を用いることで、発電素子の固有振動の影響を受けないため、ダンパーの簡素化が可能になり周波数特性を向上させることができる。
【００４７】
実施の形態１にかかるピックアップカートリッジ１では、このような構成により、振動を電気信号へ変換することで、低音の立ち上がり、高音の切れ、高い分解能の音など、他のピックアップカートリッジでは実現が難しい高音質な音声信号を得ることができる。このような特性は、ピックアップカートリッジから取り出された音声信号を周波数解析しても解析は難しいものの、聴感上ははっきりと認識できる程度の改善が得られることが発明者らの実験により検証された。
【００４８】
なお、実施の形態１にかかるピックアップカートリッジ１では、発電素子としてコイルやマグネットを磁気ギャップ内に納める必要がなくなり、構造的な制約が少なくなるため、スタイラス２２のトレース能力を高めることができる。
【００４９】
また、実施の形態１にかかるピックアップカートリッジ１では、マイク１４としてコンデンサマイクを用いる。このようにコンデンサマイクを用いることで、ピックアップカートリッジ１から出力される音信号は振幅比例型の特性となる。ここで、振幅比例型のピックアップカートリッジでは、後段回路において±２０ｄＢ程度、速度比例型のピックアップカートリッジでは±３９ｄＢ程度のイコライジング処理を行うことが一般的である。しかしながら、実施の形態１にかかるピックアップカートリッジ１では、ピックアップカートリッジ内で流体によるイコライジング効果をえることができる。そのため、実施の形態１にかかるピックアップカートリッジ１を用いた場合、ピックアップカートリッジ１から出力される音信号に対してイコライジング処理を行うことなくパワーアンプに入力しても問題がないことが検証により確かめられた。このように、イコライジング処理を省略することで、実施の形態１にかかるピックアップカートリッジ１を用いた音響システムでは、更なる高音質を実現することができる。
【００５０】
また、実施の形態１にかかるピックアップカートリッジ１では、音導管４１を密閉構造とした。これにより、実施の形態１にかかるピックアップカートリッジ１では、マイク１４への振動の伝達が空気（つまり、流体）を使った伝達形態となる。このような流体を使った振動を行うことでインピーダンス整合の効率を向上させることができ、出力電圧の振幅を他の振幅比例型のピックアップカートリッジから出力される出力電圧振幅に比べて３０％程度高くすることができる。このような大きな出力電圧振幅を得ることで、後段に設けられるアンプへの依存が小さくすることができ、自然な再生音を実現することができる。なお、振動の伝達に空気等の流体を用いた場合であっても、周波数特性にピークが表れるが、音導管４１の長さを調節することで人間の可聴音域からピークを外すことができる。
【００５１】
また、実施の形態１にかかるピックアップカートリッジ１では、音導管４１のマイク側に設けられる第２の開口部の面積を、マイク１４の受音面の面積より小さく設定している。これにより、ピックアップカートリッジ１では、マイク１４に伝達される振動を擬似的に増幅し、マイク１４における振動検出精度を向上させ、出力信号振幅を大きくすることができる。
【００５２】
また、実施の形態１にかかるピックアップカートリッジ１では、音導管とマイクの組をピックアップ素子１２の支持点に対して左右対称となるように２組設ける。これにより、実施の形態１にかかるピックアップカートリッジ１では、ステレオ再生が可能になる。
【００５３】
なお、本発明は上記実施の形態に限られたものではなく、趣旨を逸脱しない範囲で適宜変更することが可能である。
【符号の説明】
【００５４】
１  ピックアップカートリッジ
１０  カートリッジベース部材
１１  端子支持部材
１２  ピックアップ素子
１３  弾性部材
１４  マイク
１５  配線
１６  カートリッジ端子
２１  スタイラス
２２  カンチレバー
２３  接地端
２４  ピックアップ支持部材
３１  接地支持部
４１  音導管
Ｔ１  左チャンネル正極端子
Ｔ２  右チャンネル正極端子
Ｔ３  負極端子
Ｔ４  マイク電源端子
【図１】
2019125407.tif 000003
【図２】
2019125407.tif 000004
【図３】
2019125407.tif 000005
【図４】
2019125407.tif 000006
【図５】
2019125407.tif 000007
【図６】
2019125407.tif 000008
【図７】
2019125407.tif 000009